(57)【要約】【課題】  今までにない動きをさせることができる新規な部材を導入し、この新規部材の自らの変化に富んだ状態変化を通じて、遊技球の入賞口やその他の受入開口への入賞確率の微妙で且つ変化に富んだ調整を可能とし、またパチンコ遊技機における遊技状態の変化を視覚と共に面白く認識することができるパチンコ遊技機の提供を課題とする。【解決手段】  遊技盤１０面上に遊技球が流下する遊技領域１３を設けると共に、該遊技領域１３に前記流下する遊技球を受け入れる受入開口を設けたパチンコ遊技機において、前記受入開口に設けられた開閉部材を開閉動作させるための開閉手段として、自ら膨張、収縮することができる自己膨縮体２０を設け、該自己膨縮体２０の膨縮状態の変化により前記開閉部材による前記受入開口の開口度を変化させる構成とした。【選択図】        図１
2005261717.tif 000002
【特許請求の範囲】
【請求項１】
遊技盤面上に遊技球が流下する遊技領域を設けると共に、該遊技領域に前記流下する遊技球を受け入れる受入開口を設けたパチンコ遊技機において、前記受入開口に設けられた開閉部材を開閉動作させるための開閉手段として、自ら膨張、収縮することができる自己膨縮体を設け、該自己膨縮体の膨縮状態の変化により前記開閉部材による前記受入開口の開口度を変化させる構成としたことを特徴とするパチンコ遊技機。
【請求項２】
遊技盤面上に遊技球が流下する遊技領域を設けると共に、該遊技領域に前記流下する遊技球を受け入れる受入開口を設けたパチンコ遊技機において、前記受入開口に設けられた開閉部材を、自ら膨張、収縮することができる自己膨縮体で構成し、該自己膨縮体の膨縮状態の変化により前記受入開口の開口度を変化させる構成としたことを特徴とするパチンコ遊技機。
【請求項３】
遊技盤面上に遊技球が流下する遊技領域を設けると共に、該遊技領域に前記流下する遊技球を受け入れる受入開口を設けたパチンコ遊技機において、前記受入開口の上流位置に、自ら膨張、収縮することができる自己膨縮体を配置し、該自己膨縮体の膨縮状態を変化させることにより前記受入開口の開口度を変化させる構成としたことを特徴とするパチンコ遊技機。
【請求項４】
受入開口は、開口内に遊技球を受け入れることでその褒賞として所定の遊技球の払い出しを得ることができる、入賞口であることを特徴とする請求項１〜３の何れかに記載のパチンコ遊技機。
【請求項５】
受入開口は、開口内に遊技球を受け入れることで複数の遊技状態のどの遊技状態とするかの抽選を行わせる権利を取得する、始動入賞口であることを特徴とする請求項１〜３の何れかに記載のパチンコ遊技機。
【発明の詳細な説明】
【技術分野】
【０００１】
本発明はパチンコ遊技機に関する。
【背景技術】
【０００２】
従来、開閉部材を備えた入賞口、例えば左右一対の羽根からなる開閉部材（チューリップと称される開閉部材）を備えた変動入賞口を有するパチンコ遊技機が提供されている。
しかしながら、これら従来の変動入賞口における開閉部材は、左右の羽根の開放角度が一定の固定角度とされており、且つ左右の羽根の開放角度が同じであった。このため、変動入賞口への遊技球の入賞確率を遊技者が容易に予測できるので、遊技が単調となり、興趣が早く低下するという問題点があった。
特許文献１には、開閉部材を複数種類の開放角度の何れかに開放し、更に開閉部材の開放角度をそれぞれ異なる角度とすることができるように構成した遊技装置が開示されている。
【特許文献１】特開２００１−２５９１４８号公報（第３頁、図２）
【発明の開示】
【発明が解決しようとする課題】
【０００３】
ところが上記特許文献１の場合、開閉部材である左右羽根部２５ａ、２５ｂは、ステッピングモータ或いはソレノイド等の駆動源からクランク機構等の直接的な伝達機構により作動されている。そのため、開放角度がある固定的な複数の角度に決まってしまうため、例え左右の羽根部２５ａ、２５ｂが異なる角度に制御されても、やはり遊技球の入賞態様は単純の域を出ず、遊技者をして変動入賞口への入賞確率の予測を頗る困難にするものとまでは言えないものであった。よってまた遊技が単調となり、興趣が早く低下するという問題を十分には解決できるものではなかった。
【０００４】
そこで本発明は上記従来のパチンコ遊技機における問題を解消し、今までにない動きをさせることができる新規な部材を導入し、この新規部材の自らの変化に富んだ状態変化を通じて、遊技球の入賞口やその他の受入開口への入賞確率の微妙で且つ変化に富んだ調整を可能とし、またパチンコ遊技機における遊技状態の変化を視覚と共に面白く認識することができるパチンコ遊技機の提供を課題とする。
【課題を解決するための手段】
【０００５】
上記課題を達成するため、本発明のパチンコ遊技機は、遊技盤面上に遊技球が流下する遊技領域を設けると共に、該遊技領域に前記流下する遊技球を受け入れる受入開口を設けたパチンコ遊技機において、前記受入開口に設けられた開閉部材を開閉動作させるための開閉手段として、自ら膨張、収縮することができる自己膨縮体を設け、該自己膨縮体の膨縮状態の変化により前記開閉部材による前記受入開口の開口度を変化させる構成としたことを第１の特徴としている。
また本発明のパチンコ遊技機は、遊技盤面上に遊技球が流下する遊技領域を設けると共に、該遊技領域に前記流下する遊技球を受け入れる受入開口を設けたパチンコ遊技機において、前記受入開口に設けられた開閉部材を、自ら膨張、収縮することができる自己膨縮体で構成し、該自己膨縮体の膨縮状態の変化により前記受入開口の開口度を変化させる構成としたことを第２の特徴としている。
また本発明のパチンコ遊技機は、遊技盤面上に遊技球が流下する遊技領域を設けると共に、該遊技領域に前記流下する遊技球を受け入れる受入開口を設けたパチンコ遊技機において、前記受入開口の上流位置に、自ら膨張、収縮することができる自己膨縮体を配置し、該自己膨縮体の膨縮状態を変化させることにより前記受入開口の開口度を変化させる構成としたことを第３の特徴としている。
また本発明のパチンコ遊技機は、上記第１〜３の何れかの特徴に加えて、受入開口は、開口内に遊技球を受け入れることでその褒賞として所定の遊技球の払い出しを得ることができる、入賞口であることを第４の特徴としている。
また本発明のパチンコ遊技機は、上記第１〜３の何れかの特徴に加えて、受入開口は、開口内に遊技球を受け入れることで複数の遊技状態のどの遊技状態とするかの抽選を行わせる権利を取得する、始動入賞口であることを第５の特徴としている。
【発明の効果】
【０００６】
上記請求項１に記載のパチンコ遊技機によれば、遊技盤面上に遊技球が流下する遊技領域を設けると共に、該遊技領域に前記流下する遊技球を受け入れる受入開口を設けたパチンコ遊技機において、前記受入開口に設けられた開閉部材を開閉動作させるための開閉手段として、自ら膨縮、収縮することができる自己膨縮体を設け、該自己膨縮体の膨縮状態を変化により前記開閉部材による前記受入開口の開口度を変化させる構成としたので、
自己膨縮体の膨縮状態は種々の状態に変更させることが可能であるので、該自己膨縮体によって動作される開閉部材も種々の開閉位置に自由に調整することが可能となり、よって開閉部材によって開閉される遊技球の受入開口の開口度を種々の開口度に自由に調整することができる。
即ち自己膨縮体は、その膨縮状態により複雑で且つ微妙な態様をとることが可能であるから、自己膨縮体の膨縮状態の態様によっては、例えば自己膨縮体によって位置決めされる開閉部材の位置及び状態が、遊技球を受入開口に受け入れることができるのか否かが不明となるような中間的位置及び状態となるようにすることが可能となる。また自己膨縮体の弾力性に基づいて、該自己膨縮体よって位置決めされる開閉部材の位置及び状態が、遊技球による衝突の勢いや方向により開閉部材が自己膨縮体を介して一時的に受入開口の開口度を増し、遊技球の受け入れを可能とするような位置及び状態となるようにすることができる。またその反対の位置及び状態となるようにすることが可能となる。更に自己膨縮体の膨張状態によっては、自己膨縮体によって位置決めされる開閉部材の位置及び状態が、受入開口に受け入れられる前の遊技球を一旦保持するような位置及び状態となるようにすることが可能となる。
このように自己膨縮体の膨縮態様によって開閉部材による受入開口の開口度を種々に変化させることで、遊技者をして受入開口への入賞等の受入確率の予測を簡単には行うことが困難となり、よって遊技性の複雑化を図ることが可能となり、ひいては興趣の早期低下を抑制することができる。
また自己膨縮体は外圧により不確定に変形することが可能であるので、遊技球が開閉部材へ当たる勢いや方向によっても、開閉部材を介して自己膨縮体が様々な変形態様をとり、結果として受入開口に様々な遊技球の受入態様を可能とした全く斬新なパチンコ遊技機を提供することができる。
更に自己膨縮体の膨縮状態の変化をもって、開閉部材の位置や状態の変化を遊技者に知らしめることができ、遊技者を視覚的に楽しませることができると共に、興趣を与えることができる。
以上のように、請求項１に記載のパチンコ遊技機によれば、パチンコ遊技機における入賞口等の受入開口の開閉扉の開閉手段として自己膨縮体を導入したことで、従来には全くなかった新規で且つユニークな趣向と面白みをもったインパクトのあるパチンコ遊技機を提供することができる。勿論、遊技者に対して視覚を通じて楽しい遊技状況を与えるパチンコ遊技機を提供することができる。
【０００７】
また請求項２に記載のパチンコ遊技機によれば、遊技盤面上に遊技球が流下する遊技領域を設けると共に、該遊技領域に前記流下する遊技球を受け入れる受入開口を設けたパチンコ遊技機において、前記受入開口に設けられた開閉部材を、自ら膨張、収縮することができる自己膨縮体で構成し、該自己膨縮体の膨縮状態の変化により前記受入開口の開口度を変化させる構成としたので、
上記請求項１に記載のパチンコ遊技機の場合と同様に、自己膨縮体の膨縮状態は種々の状態に変更させることが可能であるので、該自己膨縮体そのもので構成された開閉部材によって開閉される遊技球の受入開口の開口度を種々の開口度に自由に調整することができる。
即ち、自己膨縮体がそのまま開閉部材であり、またその膨縮状態により複雑で且つ微妙な態様をとることが可能であるから、自己膨縮体の膨縮状態の態様により開閉部材の位置及び状態を、遊技球を受入開口に受け入れることができるのか否かが不明となるような中間的位置及び状態にすることが可能となる。また自己膨縮体の弾力性を利用して、自己膨縮体である開閉部材の位置及び状態を、遊技球の衝突の勢いや方向に応じて開閉部材が一時的に受入開口の開口度を増し或いは減ずるような位置及び状態にすることが可能となる。更に自己膨縮体の膨張状態によっては、自己膨縮体そのものである開閉部材の位置及び状態を、受入開口に受け入れられる前の遊技球を一旦保持するような位置及び状態となるようにすることが可能となる。
このように受入開口の開閉部材を自己膨縮体で構成し、自己膨縮体の膨縮態様によって受入開口の開口度を種々に変化させることで、遊技者をして受入開口への入賞等の受入確率の予測を簡単には行うことが困難とすることができ、よって遊技性の複雑化を図ることが可能となり、ひいては興趣の早期低下を抑制することができる。
また開閉部材を構成する自己膨縮体は外圧により不確定に変形することが可能であるので、遊技球が開閉部材へ当たる勢いや方向によっても、開閉部材自体が様々な変形態様をとることができ、結果として受入開口に様々な遊技球の受入態様を可能とした全く斬新なパチンコ遊技機を提供することができる。
更に自己膨縮体の膨縮状態の変化をもって、そのまま開閉部材の位置や状態の変化を遊技者に知らしめることができ、遊技者を視覚的に楽しませることができると共に、興趣を与えることができる。
以上のように、請求項２に記載のパチンコ遊技機によれば、パチンコ遊技機における入賞口等の受入開口の開閉扉の開閉手段として自己膨縮体を導入したことで、従来には全くなかった新規で且つユニークな趣向と面白みをもったインパクトのあるパチンコ遊技機を提供することができる。勿論、遊技者に対して視覚を通じて楽しい遊技状況を与えるパチンコ遊技機を提供することができる。
【０００８】
また請求項３に記載のパチンコ遊技機によれば、遊技盤面上に遊技球が流下する遊技領域を設けると共に、該遊技領域に前記流下する遊技球を受け入れる受入開口を設けたパチンコ遊技機において、前記受入開口の上流位置に、自ら膨張、収縮することができる自己膨縮体を配置し、該自己膨縮体の膨縮状態を変化させることにより前記受入開口の開口度を変化させる構成としたので、
上記請求項１や２に記載のパチンコ遊技機の場合と同様に、自己膨縮体の膨縮状態は種々の状態に変更させることが可能であるので、該自己膨縮体を受入開口の上流位置に配置することで、実質的に遊技球の受入開口の開口度を種々の開口度に自由に調整することができる。
即ち自己膨縮体は、その膨縮状態により複雑で且つ微妙な態様をとることが可能であるから、受入開口の上流位置に配置された自己膨縮体の膨縮状態の態様により、受入開口の開口度の状態を遊技球を受入開口に受け入れることができるのか否かが不明となるような状態にすることが可能となる。また自己膨縮体の弾力性を利用して、受入開口の開口度の状態が、遊技球の衝突の勢いや方向に応じて変化するような状態にすることが可能となる。更に自己膨縮体の膨張状態によっては、受入開口に受け入れられる前の遊技球を一旦保持するような位置及び状態となるようにすることが可能となる。
このように受入開口の上流位置に自己膨縮体を配置し、自己膨縮体の膨縮態様によって受入開口の開口度を種々に変化させることで、遊技者をして受入開口への入賞等の受入確率の予測を簡単には行うことが困難とすることができ、よって遊技性の複雑化を図ることが可能となり、ひいては興趣の早期低下を抑制することができる。
また受入開口の上流に配置される自己膨縮体は外圧により不確定に変形することが可能であるので、遊技球が自己膨縮体へ当たる勢いや方向によって受入開口に様々な遊技球の受入態様を可能とした全く斬新なパチンコ遊技機を提供することができる。
更に自己膨縮体の膨縮状態の変化をもって、受入開口の開口度の変化を遊技者に知らしめることができ、遊技者を視覚的に楽しませることができると共に、興趣を与えることができる。
以上のように、請求項３に記載のパチンコ遊技機によれば、パチンコ遊技機における入賞口等の受入開口の上流位置に自己膨縮体を配置したことで、従来には全くなかった新規で且つユニークな趣向と面白みをもったインパクトのあるパチンコ遊技機を提供することができる。勿論、遊技者に対して視覚を通じて楽しい遊技状況を与えるパチンコ遊技機を提供することができる。
【０００９】
以上の請求項１〜３の何れかのパチンコ遊技機によれば、包括的には、何れのものにおいても、自己膨縮体の膨縮状態の変化に応じて遊技球の受入開口への入り具合を自在に変更、調整することができる。そして遊技者は遊技領域における自己膨縮体の膨縮状態の変化を視認しながら、その変化を楽しむことができると共に、受入開口への遊技球の受け入れ易さの変化を容易に知って、その対策を練る等、自己膨縮体の変化に応じた遊技を楽しむことができる。
【００１０】
また請求項４に記載のパチンコ遊技機によれば、上記請求項１〜３の何れかに記載の構成による効果に加えて、受入開口は、開口内に遊技球を受け入れることでその褒賞として所定の遊技球の払い出しを得ることができる、入賞口であるので、
入賞口に入る遊技球の確率を自己膨縮体の膨縮状態を変化させることにより自在に変更、調整することができる。そして遊技者は自己膨縮体の膨縮状態の変化を視認しながら、その変化を楽しむことができると共に、入賞口への遊技球の受け入れ易さの変化を容易に知って、その対策を練る等、自己膨縮体の変化に応じた遊技を楽しむことができる。
【００１１】
また請求項５に記載のパチンコ遊技機によれば、上記請求項１〜３の何れかに記載の構成による効果に加えて、受入開口は、開口内に遊技球を受け入れることで複数の遊技状態のどの遊技状態とするかの抽選を行わせる権利を取得する、始動入賞口であるので、
始動入賞口に至る入口通路の開口度を自己膨縮体の膨縮状態の変化によって微妙に、また大胆に等、自在に変更、調整することが可能となる。そして遊技者は自己膨縮体の膨縮状態の変化を視認しながら、また入賞口への遊技球の入り易さを確認しながら、その対策を練る等、自己膨縮体の変化に応じた遊技を楽しむことができる。
【発明を実施するための最良の形態】
【００１２】
（第１の実施形態）
［概要］
先ず、本発明の第１の実施形態の概要について説明する。
即ち本実施形態では、パチンコ遊技機の遊技領域に設けられた受入開口としての大入賞口１６に関し、その開閉部材である開閉扉１６ａの開閉手段として自己膨縮体２０を用いている。自己膨縮体２０の膨らみ具合を遊技状態等に応じて変化させることで、大入賞口１６の開口度を変化させ、またこれによって遊技球の大入賞口１６への入賞確率を変化、調整するものである。
【００１３】
［詳細］
図１〜図４を参照して、第１の実施形態を詳細に説明する。
図１は本発明の第１の実施形態のパチンコ遊技機の遊技盤の正面図である。図２は大入賞口の開閉扉を開閉する開閉手段として設けた自己膨縮体を示す図で、（Ａ）は自己膨縮体が十分な膨らみ状態にある場合を示す斜視図、（Ｂ）は自己膨縮体が萎んだ状態を示す斜視図である。図３は自己膨縮体の膨縮操作装置を示す図で、（Ａ）は自己膨縮体を萎ませた状態を示し、（Ｂ）は自己膨縮体を膨らませた状態を示す。図４は自己膨縮体の膨縮操作装置の制御を説明するブロック図である。
【００１４】
図１、図２を参照して、パチンコ遊技機は遊技盤１０を備えている。図示しない発射装置によって打ち出された遊技球Ｑ（図７参照）は、レール１１でガイドされた助走路１２を経て、遊技盤１０面上の遊技領域１３に飛び出し、遊技盤１０面上を流下する。
遊技盤１０の遊技領域１３には、その中央付近のやや上部にセンターケース１４が設けられ、センターケース１４の中心付近の下方には始動入賞口１５が設けられている。その始動入賞口１５の更に下方に大入賞口１６が設けられている。また普通入賞口１７が設けられている。前記始動入賞口１５、大入賞口１６、普通入賞口１７は何れも遊技球Ｑを受け入れることができる受入開口である。
上記した何れの受入開口にも入賞せずに遊技盤１０面上を下まで流下した遊技球Ｑは、アウト口１８に流れ込む。
【００１５】
前記大入賞口１６には、該大入賞口１６を開閉する開閉手段として開閉扉１６ａが設けられており、該開閉扉１６ａを開閉動作させるための開閉手段として、自ら膨張、収縮することができる自己膨縮体２０が設けられている。
自己膨縮体２０は大入賞口１６の開閉扉１６ａに対して下から押し上げ作用を加えることができるようになされている。
前記開閉扉１６ａは図示しない付勢バネ等により常時下方に付勢されることで、大入賞口１６を開放する方向に付勢されている。そして開閉扉１６ａの上辺部から前方へ張り出された庇部１６ｂが設けられている。
一方、自己膨縮体２０は前記開閉扉１６ａの庇部１６ｂに対して下方から当接して押し上げることができるように配置されている。即ち、大入賞口１６の真下位置に遊技盤１０から突出した状態で、後述する膨縮操作装置３０の梁ブロック３７を設け、この梁ブロック３７の上面の開口３７ｂ位置に自己膨縮体２０を配置する。自己膨縮体２０は膨縮操作装置３０による空気の給排気を受けることで、膨縮状態を変化させる。
なお前記庇部１６ｂは、その中央位置から左右に向けて穏やかな下り傾斜となるように構成されると共に、遊技者側から遊技機側に向けてやや急な下り傾斜となるように構成され、これによって図２の（Ａ）に示す大入賞口１６が閉止状態にある場合は、庇部１６ｂの上に落下した遊技球Ｑを停滞することなく左右両側方向に排出する。また図２の（Ｂ）に示す大入賞口１６が開放状態にある場合においては、庇部１６ｂの上に落ちた遊技球Ｑは傾斜に従って速やかに大入賞口１６内に流れ込む。
【００１６】
今、図２の（Ａ）に示すように、自己膨縮体２０が膨縮操作装置３０によって十分に膨張されると、その自己膨縮体２０が開閉扉１６ａの庇部１６ｂの下から当接してこれを押し上げ、開閉扉１６ａによる大入賞口１６の閉止をなさしめる。
一方、図２の（Ｂ）に示すように、自己膨縮体２０が膨縮操作装置３０によって内部の空気を抜かれて十分に萎んだ状態にされると、自己膨縮体２０が開閉扉１６ａから離れる結果、開閉扉１６ａが付勢力によって大入賞口１６を開放する。
自己膨縮体２０による開閉扉１６ａの開閉タイミングは、後述するコントローラ４０により制御される。
上記において大入賞口１６は、いわゆる変動入賞装置（口）の１つで、パチンコ遊技機の遊技状態がある特定の遊技状態（大当たりの遊技状態）になると、該大入賞口１６の開閉扉１６ａが１乃至複数回開き、よってその開閉扉１６ａが開状態にあるときに多数の遊技球Ｑを受け入れる（入賞する）ことができるようになされた入賞口である。遊技球Ｑの個々の入賞に対してその褒賞として一定の遊技球Ｑの払い出しが行われることから、大入賞口１６が開いているときには、多数の入賞による多数の遊技球Ｑの払い出しが期待される。
なお大入賞口１６が開放状態にある場合においても、その開放状態の開口度合いを自己膨縮体２０の膨縮状態を変えることで変え、これによって遊技球Ｑの大入賞口１６への入り易さを変更調整することもできる。
【００１７】
上記自己膨縮体２０の膨縮状態を変化させる手段としての膨縮操作装置３０を、図３を参照して説明する。
図３の（Ａ）は、自己膨縮体２０の内圧が最も低く、最も萎んだ状態を示し、図３の（Ｂ）は自己膨縮体２０の内圧が最も高く、最も膨らんだ状態を示すものである。
膨縮操作装置３０は、ステッピングモータ３１を有し、該ステッピングモータ３１には駆動軸３２、駆動ホイール３３が設けられている。駆動ホイール３３の偏心した位置にコンロッド３４が軸支され、該コンロッド３４の他端側はピストン３５の一対のピロー部３５ａに軸支されている。前記ピストン３５はシリンダーブロック３６のシリンダー穴３６ａに気密に嵌合され、進退するようになされている。シリンダーブロック３６には自己膨縮体２０をその上に配置する梁ブロック３７が連結され、前記シリンダーブロック３６のシリンダー穴３６ａから分岐した形で通気穴３７ａが梁ブロック３７内に延長され、該通気穴３７ａの末端が梁ブロック３７の上面に設けられた開口３７ｂに連通して、該上面に配置される前記自己膨縮体２０の内空と連通するようになされている。
前記ステッピングモータ３１やシリンダーブロック３６は遊技盤１０の裏側に隠れて配置される。そして前記梁ブロック３７が遊技盤１０の表側の前記大入賞口１６の少し下の位置に配置されるようになされる。
【００１８】
次に膨縮操作装置３０の動作を説明する。
今、図３の（Ａ）に示すように、自己膨縮体２０が最も萎んで梁ブロック３７の開口３７ｂ内に引き込まれた状態、即ちピストン３５が最も後退した状態から、ステッピングモータ３１の回転駆動により前記ピストン３５がシリンダーブロック３６内に進出してゆくと、シリンダー穴３６ａ内の空気がシリンダー穴３６ａから通気穴３７ａを通って、自己膨縮体２０内に充たされてゆき、これによって自己膨縮体２０が膨張する。
そして、図３の（Ｂ）に示すように、ピストン３５が最も深くシリンダー穴３６ａに進出した状態で、自己膨縮体２０内に導入される空気が最も多量となり、自己膨縮体２０が最も膨張した状態となる。
シリンダー穴３６ａ及び通気穴３７ａは気密であるので、ピストン３５が進出すればその分に相当する空気量に対応して自己膨縮体２０が膨らみ、後退すれば自己膨縮体２０がその分だけ萎む。即ち、ピストン３５の進退位置に応じて、自己膨縮体２０の膨縮状態を調整することができる。
【００１９】
図４を参照して、前記膨縮操作装置３０のステッピングモータ３１は、パチンコ機のコントローラ４０によってその回転のタイミング、回転方向、回転角度（回転数）等が制御される。即ち、遊技機の遊技状態を制御するコントローラ４０が、遊技状態に対応して、或いは対応することなく、一定の条件に達すると、ステッピングモータ３１の回転角度（回転数）を指令する制御信号を発信する。ステッピングモータ３１はこの制御信号を受信すると、所定の回転角度（回転数）だけ回転し、自己膨縮体２０を所定の膨縮状態とする。
なお図３に示す膨縮操作装置３０は、本実施形態において用いる他、後述する実施形態においても、その構成の一部として使用する。
【００２０】
図５に第１の実施形態の変形例を示す。前記図２に示す第１の実施形態の場合は、開閉扉１６ａが上下方向に可動するものであった。しかし、この図５の変形例では、略長方形の平板状に形成された一般的な開閉扉１１６ａに適用した例を示す。
開閉扉１１６ａはその下辺部付近で支軸１１６ｂにより軸支されて回動自在とされると共に、図示しない付勢バネにより大入賞口１６を開放する方向に付勢されている。そして開閉扉１１６ａには、その開放状態においてそれ以上の開放を止める爪部１１６ｃが設けられ、また開閉扉１１６ａの左右方向の中央付近から支持部材１１６ｄが突出して設けられている。
一方、自己膨縮体２０が前記開閉扉１１６ａの支持部材１１６ｄに対して下方から当接して押し上げることができるように配置されている。即ち、上記図２の場合と同様に、大入賞口１６の真下位置に遊技盤１０から突出した状態で、膨縮操作装置３０の梁ブロック３７が設けられ、この梁ブロック３７の上面の開口３７ｂ位置に自己膨縮体２０が配置される。自己膨縮体２０は膨縮操作装置３０による空気の給排気を受けることで、膨縮状態を変化させる。
【００２１】
図５の（Ａ）に示すように、自己膨縮体２０が膨張すると、これによって支持部材１１６ｄが上方に押し上げられ、開閉扉１１６ａが上方へ回動して、大入賞口１６が閉止される。また図５の（Ｂ）に示すように、自己膨縮体２０が収縮することで、その自己膨縮体２０の上部に当接する支持部材１１６ｄも降下し、図示しないバネ付勢力によって開閉扉１１６ａが回動して大入賞口１６が開放状態となる。
自己膨縮体２０による開閉扉１１６ａの開閉タイミングは、コントローラ４０により制御される。
【００２２】
以上に示す自己膨縮体２０の形は雪だるまのような形であるが、立体的で且つ自らが膨張、収縮することができるものであれば、その形が特に限定されるものではなく、遊技者にアピール度が高い種々の形のものを用いることができる。
また自己膨縮体２０の材質は限定されない。膨張したり収縮したりすることができるものであればよい。以下の実施形態における自己膨縮体２０の場合も同様である。
【００２３】
（第２の実施形態）
［概要］
先ず、本発明の第２の実施形態の概要について説明する。
即ち本実施形態では、パチンコ遊技機の遊技領域に設けられた受入開口としての大入賞口１６に関し、その開閉部材を自己膨縮体２０で構成し、該自己膨縮体２０の膨縮状態を遊技状態等に応じて変化させることで、大入賞口１６の開口度を開放状態、閉止状態、或いは遊技球Ｑが入ったり入らなかったりするような中間的な状態等に、種々変化させることができるようにし、またこれによって遊技球Ｑの大入賞口１６への入賞確率を変化、調整するものである。
【００２４】
［詳細］
図６を参照して、第２の実施形態を詳細に説明する。
図６はパチンコ遊技機の遊技領域に設けられた大入賞口に配置された自己膨縮体を示す図で、（Ａ）は自己膨縮体が十分な膨らみ状態にある場合を示す斜視図、（Ｂ）は自己膨縮体が萎んだ状態を示す斜視図である。
【００２５】
大入賞口１６の下方近傍に、大入賞口１６の左右方向の長さより長い幅の梁ブロック３７が遊技盤１０から突出した形で配置されている。梁ブロック３７の上面開口３７ｂは遊技者側から遊技盤１０側に向かってやや急な下り斜面に形成され、開口３７ｂ上に自己膨縮体２０が膨縮自在に設けられている。自己膨縮体２０は、膨張することで大入賞口１６を閉塞し、収縮して萎んだときに大入賞口１６を開放する。
即ち、図６の（Ａ）に示すように、梁ブロック３７の傾斜した開口３７ｂから自己膨縮体２０が膨張して、大入賞口１６の前面を覆うことにより、大入賞口１６を閉塞する。このとき自己膨縮体２０の上部は左右両側方に傾斜するように形成されており、よって上方から自己膨縮体２０上に落下してきた遊技球Ｑは、滞留することなく転動して流下してゆく。
次に図６の（Ａ）の状態から、自己膨縮体２０の内圧が低下することで自己膨縮体２０が収縮するにつれ、大入賞口１６が上部から下部に向かって開放されてゆく。所定の収縮が完了したとき、図６の（Ｂ）に示すように、大入賞口１６の全領域が遊技球Ｑの受け入れ可能な状態に開放される。このとき自己膨縮体２０の上面部が大入賞口１６に向けて下り傾斜するように形成されており、よって自己膨縮体２０上に落下してきた遊技球は、大入賞口１６に向けて転動する。
なお自己膨縮体２０の膨縮による大入賞口１６の開閉タイミングは、コントローラ４０により制御される。
【００２６】
勿論、自己膨縮体２０の膨縮状態は上記図６の（Ａ）と（Ｂ）の２状態に限定されるものではなく、その中間的な膨縮状態とすることも可能である。中間的な状態とすることで、遊技球Ｑが自己膨縮体２０に衝突する勢いや方向等によって大入賞口１６に入ったり入らなかったりするようにすることも可能である。
また自己膨縮体２０の膨張状態での形状、及び収縮状態での形状は上記図６に示すようなものに限定されず、種々の形状のものを採用することができる。また中間的な膨張状態における形状についても、種々の形状となるものを採用することができる。更に自己膨縮体２０は、必ずしも一様の定まった形状の変化をたどって膨張、収縮する必要はなく、膨張や収縮の途中における形状が、条件等により種々変化するようなものを採用することができる。
【００２７】
（第３の実施形態）
［概要］
先ず、本発明の第３の実施形態の概要について説明する。
即ち本実施形態では、パチンコ遊技機の遊技領域に設けられた受入開口としての普通入賞口１７に関し、その普通入賞口１７の上流位置に自己膨縮体２０を配置し、該自己膨縮体２０の膨縮状態を変化させることにより普通入賞口１７の開口度を変化させるようにしたものである。
【００２８】
［詳細］
図７を参照して、第３の実施形態を詳細に説明する。
図７はパチンコ遊技機の遊技領域にある普通入賞口に設けられた自己膨縮体を示す図で、（Ａ１）は自己膨縮体が十分な膨らみ状態にある場合を示す正面図、（Ａ２）は自己膨縮体が十分な膨らみ状態にある場合を示す側面図、（Ｂ１）は自己膨縮体が萎んだ状態にある場合を示す正面図、（Ｂ２）は自己膨縮体が萎んだ状態にある場合を示す側面図である。
【００２９】
遊技盤１０面の遊技領域１３に設けられた普通入賞口１７の真上の近傍に、自己膨縮体２０が設けられている。この自己膨縮体２０は膨張時には略円柱状となってパチンコ遊技機側から遊技者側に向かって立ち上がり、遊技球Ｑが普通入賞口１７に受け入れられるのを不可能とする。また収縮して萎んだ時には、普通入賞口１７への遊技球Ｑの受け入れを遮蔽しない状態まで後退する。本実施形態では、これまでの実施形態と異なり、梁ブロック３７は遊技盤１０面から突出することなく遊技盤１０の裏側に配置され、自己膨縮体２０だけが遊技盤１０面上で膨縮する。
図７の（Ａ１）、（Ａ２）の状態では、自己膨縮体２０が膨張状態にあることから、上方から普通入賞口１７に向けて流下してきた遊技球Ｑは自己膨縮体２０に衝突し、普通入賞口１７に受け入れられることなく、側方に落下する。また図示しないが、普通入賞口１７の斜め上方より流下してきた遊技球Ｑも自己膨縮体２０により排除される。
図７の（Ｂ１）、（Ｂ２）の状態では、自己膨縮体２０が十分に収縮して萎んだ状態にあることから、上方から普通入賞口１７に向けて流下してきた遊技球Ｑは、自己膨縮体２０によって邪魔されることなく、普通入賞口１７に受け入れられる。
勿論、自己膨縮体２０の膨縮状態を色々な状態に変化させることで、普通入賞口１７への入賞確率が色々と変化するようにしてもよい。
上記において普通入賞口１７とは、遊技領域１３に設けられた遊技球Ｑの受入開口の１つで、そこに遊技球Ｑが入ることで、予め定められた一定数の遊技球Ｑが褒賞として払い出される受入開口である。
自己膨縮体２０の膨縮タイミングは、コントローラ４０により制御される。
【００３０】
（第４の実施形態）
［概要］
先ず、本発明の第４の実施形態の概要について説明する。
即ち本実施形態では、パチンコ遊技機の遊技領域に設けられた受入開口としての始動入賞口１５に関し、その始動入賞口１５の上流位置に自己膨縮体２０を配置し、該自己膨縮体２０の膨縮状態を変化させることにより始動入賞口１５の開口度を変化させるようにしたものである。
【００３１】
［詳細］
図８を参照して、第４の実施形態を詳細に説明する。
図８はパチンコ遊技機の遊技領域にある始動入賞口に設けられた自己膨縮体を示す図で、（Ａ１）は自己膨縮体が十分な膨らみ状態にある場合を示す正面図、（Ａ２）は自己膨縮体が十分な膨らみ状態にある場合を示す側面図、（Ｂ１）は自己膨縮体が萎んだ状態にある場合を示す正面図、（Ｂ２）は自己膨縮体が萎んだ状態にある場合を示す側面図である。
【００３２】
遊技盤１０面上の遊技領域１３に設けられた始動入賞口１５の真上の位置に自己膨縮体２０が膨張、収縮可能な状態に設けられている。この自己膨縮体２０は、膨張時には略円柱状に形成され、始動入賞口１５との間隙が遊技球Ｑの通過可能な大きさとなるように形成される。また収縮時においては、始動入賞口１５への遊技球の入賞可能な経路を遮蔽しない状態まで萎む。
本実施形態においても上記第３の実施形態と同様に、梁ブロック３７は遊技盤１０面から突出することなく遊技盤１０の裏側に配置され、自己膨縮体２０だけが遊技盤１０面上で膨縮するようにしている。また本実施形態においては、役物１５ａは一対の片が常時上方に向かって広く開放された状態とされている。が、状況に応じて前記広い開放状態となったり、一対の片が上方に向かって平行となって１個分の遊技球Ｑだけが通過できる狭い開放状態となったりする構成のものであってもよい。
自己膨縮体２０の膨縮タイミングは、既述の実施形態の場合と同様に、コントローラ４０により制御される。
【００３３】
図８の（Ａ１）、（Ａ２）に示す自己膨縮体２０の膨張した状態においては、始動入賞口１５の上方へ落下してきた遊技球Ｑは、始動入賞口１５の上を遮蔽する自己膨縮体２０に衝突し、側方に排除される結果、始動入賞口１５には入賞することができない。その一方、始動入賞口１５の斜め上方より流下してきた遊技球Ｑに対しては、膨張状態の自己膨縮体２０の存在下においても、広く開放された役物１５ａに入ることが可能な状態とされる。これにより始動入賞口１５への入賞確率は膨張した自己膨縮体２０の存在により低下するが、ゼロにはならない状態に調整される。
図８の（Ｂ１）、（Ｂ２）に示す自己膨縮体２０が収縮した（萎んだ）状態においては、もはや自己膨縮体２０は始動入賞口１５への入賞可能な何れの経路も遮蔽しなくなるため、自己膨縮体２０が膨張しているときに比べて入賞確率が上がる。
なお、自己膨縮体２０の膨縮状態は色々な状態をとるように変化させることで、始動入賞口１５への入賞確率が種々に変化するようにしてもよい。
以上の第４の実施形態では、始動入賞口１５への上流位置に自己膨縮体２０を設けることで、結果として始動入賞口１５の開口度を調整したが、自己膨縮体２０の膨縮により始動入賞口１５そのものの開口度を変更調整する構成としてもよい。
【００３４】
上記において始動入賞口１５は、そこに遊技球Ｑが入ることで、その褒賞として一定量の遊技球Ｑの払い出しを受けることができる受入開口であり、同時に遊技球Ｑがそこに入ることで、パチンコ遊技機の遊技状態を、複数の遊技状態の内のどの遊技状態とするかの抽選を行わせる権利を取得することができる受入開口である。更に具体的に言えば、始動入賞口１５に遊技球Ｑが入ることで、パチンコ遊技機のコントローラ４０において、大当たりの遊技状態とするか通常の遊技状態とするか等の遊技状態を選ぶ抽選を行わせる権利を取得する受入開口である。この権利を取得することで、一定の例外を除いて、前記抽選がコントローラ４０で行われる。
大当たりの遊技状態とは、その遊技状態がコントローラ４０において抽選に基づいて選ばれることにより、通常の遊技状態の場合よりも遊技球Ｑが入賞口に入り易くなり、褒賞としてより多くの遊技球Ｑの払い出しを受けることを可能とする遊技状態である。
また上記において役物１５ａとは、始動入賞口１５等の受入開口への遊技球Ｑの受け入れ易さを変動させる手段で、一定の条件で開いたり閉じたりする。図示された役物１５ａが示すような一対の開閉片（チューリップと称される）の他、開閉扉としたものがある。
【００３５】
既述した図３に示す膨縮操作装置３０の変形例を、図９を参照して説明する。
図９の（Ａ）は、自己膨縮体２０の内圧が最も低く、最も萎んだ状態を示し、図９の（Ｂ）は自己膨縮体２０の内圧が最も高い、最も膨らんだ状態を示すものである。
膨縮操作装置５０は、ステッピングモータ５１を有し、該ステッピングモータ５１には駆動軸５１ａを介してピニオン５２が設けられている。該ピニオン５２に対して噛み合った状態でラック５３が進退自在に保持され、ラック５３の先端には加圧板５４が取り付けられている。そしてこの加圧板５４に対向する形でポンプ部材５５が通気ブロック５６に設けられている。
前記ポンプ部材５５は、最も膨張した状態に自力で復帰できるように構成されている。また前記通気ブロック５６は略直方体状に形成され、内部には図示しない通気穴が設けられている。この通気穴の一方が前記ポンプ部材５５に連通し、他方が梁ブロック５７内に延長され、梁ブロック５７の上面に設けられた開口５７ａに連通している。この開口５７ａには自己膨縮体２０が取り付けられている。
前記ステッピングモータ５１、ピニオン５２、ラック５３、通気ブロック５６は遊技盤１０の背面側に隠れて配置される。自己膨縮体２０は遊技盤１０の前面に設けられる。前記梁ブロック５７は必要に応じて遊技盤１０の前面に配置される。
【００３６】
図９の（Ａ）は自己膨縮体２０が最も萎んで、梁ブロック５７の開口５７ａ内に引き込まれた状態を示す。この状態から、ステッピングモータ５１が図面上において反時計方向に所定の角度だけ回転されることにより、ピニオン５２が対応して回転し、よってラック５３が所定距離だけ進出する。
これによって図９の（Ｂ）に示すように、ラック５３の加圧板５４がポンプ部材５５に当接し、これを所定量だけ押す。所定量だけ押されたポンプ部材５５は、その内部の所定量の空気を自己膨縮体２０の方へ排出する。自己膨縮体２０は所定量の空気を受け入れ、その分だけ膨張する。
一方、図９の（Ｂ）に示すような自己膨縮体２０が十分に膨張した状態から、ステッピングモータ５１が図面上において時計方向に所定の角度だけ回転されると、ピニオン５２が対応して回転し、よってラック５３が所定距離だけ後退する。これに伴って、ポンプ部材５５は自力復帰能力により膨み、加圧板５４がポンプ部材５５から離れることで最大膨張状態まで膨んで、図９の（Ａ）の状態となる。
自己膨縮体２０の膨縮状態をどの状態にするかは、ステッピングモータ５１の回転角度で決まり、そのステッピングモータ５１の回転角度はコントローラ４０によって制御される。コントローラ４０はパチンコ遊技機の遊技状態に応じて或いは遊技状態と関係なく、所定のプログラムに従ってステッピングモータ５１の回転角度とその回転タイミングを制御する。
【００３７】
上記の膨縮操作装置５０、３０においては、自己膨縮体２０を膨縮させる媒体として、空気を用いているが、空気に限らず他の気体や液体等の流体を媒体として用いてもよい。
また上記したコントローラ４０の機能は、パチンコ遊技機の遊技の進行を制御する主基板（図示せず）に搭載されたＣＰＵの一機能として構成したものでもよい。
【００３８】
図１０、図１１を参照して、本発明の他の実施形態を説明する。
図１０は本発明の他の実施形態を示すパチンコ遊技機の遊技盤の正面図である。図１１はパチンコ遊技機の遊技領域にあるセンターケースに設けられた自己膨縮体を示す図で、（Ａ）は自己膨縮体が少しだけ膨らんだ状態にある場合を示す正面図、（Ｂ）は自己膨縮体が中間状態に膨らんだ状態にある場合を示す正面図、（Ｃ）は自己膨縮体が十分に膨らんだ状態にある場合を示す正面図である。
【００３９】
本実施形態においては、既述の実施形態とは異なって、自己膨縮体２０をセンターケース１４の上部に自ら膨張、収縮することができるものとして配置している。更に自己膨縮体２０の近傍に、該自己膨縮体２０の膨張又は収縮によって閉成又は開放される開口（図示しない）を備える。他の構成は既述のものと同じである。同一の機能を有する部材は同一の符号で示し、説明を省略する。
前記自己膨縮体２０は完全に収縮した状態ではセンターケース１４の上部の飾り部に隠れてしまうようになされている。
自己膨縮体２０の膨縮状態の変更調整は、図４において説明したコントローラ４０からの制御信号により、膨縮操作装置３０を介して行われる。
本実施形態の自己膨縮体２０は、前述した実施形態と同様に、所定の条件が成立したことに基づいて膨張又は収縮することにより、上記開口を直接的に閉成又は開放するものである。なお、このような構成に限定せず、例えば上記開口を開放又は閉成する開閉扉を備え、自己膨縮体２０は膨張又は収縮することにより、上記開口を開閉扉を介して間接的に閉成又は開放するものでもよい。更に本実施形態の自己膨縮体２０は、前述した作用の他に、以下の述べるように遊戯状態に応じて膨張又は収縮することにより、遊技者に報知する作用も行うものである。
【００４０】
今、パチンコ遊技機のコントローラ４０に記憶されている大当たり抽選結果において、大当たりとなるものがない場合には、コントローラ４０は膨縮操作装置３０を介して自己膨縮体２０を前記完全に収縮して隠れた状態（図示せず）とする。
一方、コントローラ４０は、記憶している大当たり抽選結果において大当たりとすることが決定した場合には、図１１の（Ａ）に示すような自己膨縮体２０が僅かに膨らんで見える状態になるように自己膨縮体２０を制御する。
前記コントローラ４０に記憶されている複数の大当たり抽選結果（始動記憶）は、パチンコ遊技機のセンターケース１４に設けられた表示部等において、図柄の変動表示とそれ続く確定表示等の表示によって順次消化されてゆくので、これに伴って前記大当たり記憶による大当たり表示が近づいてくる。この大当たりの表示が近づくにつれ、コントローラ４０は、自己膨縮体２０の膨らみ状態を、図１１の（Ｂ）に示すような中間の膨張状態から図１１の（Ｃ）に示す十分に膨らんだ状態へと膨らみが増してゆくように制御する。
【００４１】
上記においては、来たるべき大当たり遊技の存在を予告する機能を果たす自己膨縮体２０をセンターケース１４の上部に配置したが、センターケース１４の他の部分に配置してもよく、更にセンターケース１４以外の場所に配置してもよい。
また自己膨縮体２０の膨縮状態は、図１１の（Ａ）、（Ｂ）、（Ｃ）の３つの状態に限定されるものではない。他の種々の膨縮状態をとるようにすることができる。また自己膨縮体２０の膨縮状態は、幾つかの静的な状態を変化するようにする他、膨縮状態が連続的に変化するような動的な変化状態にするようにしてもよい。このような場合も本発明にいう膨縮状態である。
その他、図に示す自己膨縮体２０の形は、立体的で且つ自らが膨張、収縮することができるものであれば、その形が特に限定されるものではなく、遊技者にアピール度が高い種々の形のものを用いることができる。また自己膨縮体２０の材質は限定されない。膨張したり収縮したりすることができるものであればよい。
【００４２】
また上記実施形態では、始動記憶の中に大当たりとなるものが含まれているか否か、また含まれる場合において始動記憶が順次消化されていくに従って、自己膨縮体２０の膨縮状態を変化させるごく具体的な構成としたが、これに限定するものではない。要するに、自己膨縮体２０の膨縮状態の変化は、来たるべき遊技状態の変化に先立って変化させるように構成することができる。即ち、遊技者に対して来たるべき遊技状態を予測させ或いは期待させるように、自己膨縮体２０の膨縮状態を先立って変化させる構成である。このような構成も本発明は包含する。更に自己膨縮体２０は、始動記憶の数に応じてその膨縮状態を変化させる構成であってもよい。
【００４３】
更に自己膨縮体２０の膨縮状態の変化は、パチンコ遊技機の遊技状態に応じて、即ち現行の遊技状態を反映させるように、変化させる構成とすることができる。例えば遊技状態が確変状態にある場合においては図１１の（Ｃ）、時短状態においては図１１の（Ｂ）、それ以外（例えば通常の遊技状態）の場合は図１１の（Ａ）の各膨縮状態とさせる構成である。勿論、自己膨縮体２０の膨縮状態の変化はこれら確変状態、時短状態以外の他の遊技状態に応じて変化させるようにしてもよい。しかしながら、遊技状態はこれらの確変状態、時短状態、通常の遊技状態に限定されるものではない。このような構成も本発明は包含する。
前記において、確変状態とは、上記コントローラ４０において前記した大当たりの遊技状態とするか通常の遊技状態とするか等の遊技状態を選ぶ抽選を行う場合に、前記大当たりの遊技状態等の特定の遊技状態を引き当てる確率が高い状態をいう。また時短状態とは、大当たりの遊技状態ではない（通常の遊技状態である）が、遊技状態を決定する各抽選において、その各抽選での抽選結果をパチンコ遊技機の表示部において、図柄の変動と停止とにより表示する際の所要時間を、通常の遊技状態よりも短くした遊技状態をいう。
大当たりの遊技状態とは、その遊技状態がコントローラ４０において抽選に基づいて選ばれることにより、通常の遊技状態の場合よりも遊技球Ｑが入賞口に入り易くなり、褒賞としてより多くの遊技球Ｑの払い出しを受けることを可能とする遊技状態である。
【００４４】
更に自己膨縮体２０の膨縮状態の変化は、遊技状態の変化とは別のタイミングで、即ち現行の遊技状態を反映することなく無関係に、変化させる構成とすることができる。このような構成も本発明の範囲である。
【００４５】
なお自己膨縮体２０の膨縮状態を変化させる手段としては、図３、図９に示す膨縮操作装置３０、５０を用いることができる。
【図面の簡単な説明】
【００４６】
【図１】本発明の第１の実施形態のパチンコ遊技機の遊技盤の正面図である。
【図２】第１の実施形態のパチンコ遊技機における大入賞口の開閉扉を開閉する開閉手段として設けた自己膨縮体を示す図で、（Ａ）は自己膨縮体が十分な膨らみ状態にある場合を示す斜視図、（Ｂ）は自己膨縮体が萎んだ状態を示す斜視図である。
【図３】第１の実施形態のパチンコ遊技機における自己膨縮体の膨縮操作装置を示す図で、（Ａ）は自己膨縮体を萎ませた状態を示し、（Ｂ）は自己膨縮体を膨らませた状態を示す。
【図４】第１の実施形態のパチンコ遊技機における自己膨縮体の膨縮操作装置の制御を説明するブロック図である。
【図５】第１の実施形態の変形例として、パチンコ遊技機の大入賞口の開閉扉を開閉する開閉手段として設けた自己膨縮体を示す図で、（Ａ）は自己膨縮体が十分な膨らみ状態にある場合を示す斜視図、（Ｂ）は自己膨縮体が萎んだ状態を示す斜視図である。
【図６】本発明の第２の実施形態のパチンコ遊技機における遊技領域に設けられた大入賞口に配置された自己膨縮体を示す図で、（Ａ）は自己膨縮体が十分な膨らみ状態にある場合を示す斜視図、（Ｂ）は自己膨縮体が萎んだ状態を示す斜視図である。
【図７】本発明の第３の実施形態のパチンコ遊技機における遊技領域にある普通入賞口に設けられた自己膨縮体を示す図で、（Ａ１）は自己膨縮体が十分な膨らみ状態にある場合を示す正面図、（Ａ２）は自己膨縮体が十分な膨らみ状態にある場合を示す側面図、（Ｂ１）は自己膨縮体が萎んだ状態にある場合を示す正面図、（Ｂ２）は自己膨縮体が萎んだ状態にある場合を示す側面図である。
【図８】本発明の第４の実施形態のパチンコ遊技機における遊技領域にある始動入賞口に設けられた自己膨縮体を示す図で、（Ａ１）は自己膨縮体が十分な膨らみ状態にある場合を示す正面図、（Ａ２）は自己膨縮体が十分な膨らみ状態にある場合を示す側面図、（Ｂ１）は自己膨縮体が萎んだ状態にある場合を示す正面図、（Ｂ２）は自己膨縮体が萎んだ状態にある場合を示す側面図である。
【図９】膨縮操作装置の変形例を示し、（Ａ）は自己膨縮体を萎ませた状態の膨縮操作装置の斜視図、（Ｂ）は自己膨縮体を膨らませた状態の膨縮操作装置の斜視図である。
【図１０】本発明の他の実施形態示すパチンコ遊技機の遊技盤の正面図である。
【図１１】本発明の他の実施形態のパチンコ遊技機における遊技領域にあるセンターケースに設けられた自己膨縮体を示す図で、（Ａ）は自己膨縮体が少しだけ膨らんだ状態にある場合を示す正面図、（Ｂ）は自己膨縮体が中間状態に膨らんだ状態にある場合を示す正面図、（Ｃ）は自己膨縮体が十分に膨らんだ状態にある場合を示す正面図である。
【符号の説明】
【００４７】
１０      遊技盤
１３      遊技領域
１５      始動入賞口
１５ａ    役物
１６      大入賞口
１６ａ    開閉扉
１６ｂ    庇部
１７      普通入賞口
２０      自己膨縮体
３０      膨縮操作装置
４０      コントローラ
５０      膨縮操作装置
１１６ａ  開閉扉
Ｑ        遊技球
【図１】
2005261717.tif 000003
【図２】
2005261717.tif 000004
【図３】
2005261717.tif 000005
【図４】
2005261717.tif 000006
【図５】
2005261717.tif 000007
【図６】
2005261717.tif 000008
【図７】
2005261717.tif 000009
【図８】
2005261717.tif 000010
【図９】
2005261717.tif 000011
【図１０】
2005261717.tif 000012
【図１１】
2005261717.tif 000013